(57)【要約】【課題】光ディスクの回転数を抑制することができる光ディスク再生装置を実現する。【解決手段】光ディスク１であるＤＶＤのリードイン領域には、光ディスク１のデータレートを示すデータレート情報が記録されている。光ピックアップ３により、データレート情報を読み取ると共に、ＤＶＤのコンテンツの種類を示す情報を読み取る。ＤＶＤのコンテンツの種類がＤＶＤ−Ｖｉｄｅｏフォーマット以外の場合、制御部９は、読み取り速度が装置の最大となるように、スピンドルモータ２を回転させる。ＤＶＤのコンテンツの種類がＤＶＤ−Ｖｉｄｅｏフォーマットのコンテンツの場合、制御部９は、読み取り速度がデータレート情報に対応するようにスピンドルモータ２を回転させる。【選択図】図１
2011081851.tif 000002
【特許請求の範囲】
【請求項１】
ディスクに記録された再生対象のデータを読み取り再生するディスク再生装置であって、
前記ディスクに記録されているデータのデータレートを示すデータレート情報を読み取る転送速度取得手段と、
前記再生対象のデータを読み取り再生する際の前記ディスクの回転速度を前記転送速度取得手段で読み取ったデータレート情報に基づいて設定する速度設定手段と、
前記ディスクを前記設定された回転速度で回転させるディスク回転手段と、
前記設定された回転速度で回転しているディスクから前記再生対象のデータを読み取り再生する再生手段と、
を備えることを特徴とするディスク再生装置。
【請求項２】
前記ディスクのコンテンツの種類を検出するコンテンツ検出手段と、
前記再生対象のデータを読み取り再生する際の前記ディスクの回転速度を当該装置に設定されている最高の回転速度に設定する第２の速度設定手段とを備え、
前記速度設定手段は、前記コンテンツ検出手段が検出したコンテンツの種類が特定のコンテンツの種類の場合に、前記ディスクの回転速度を設定し、
前記第２の速度設定手段は、前記コンテンツ検出手段が検出したコンテンツの種類が前記特定のコンテンツの種類以外の場合に、前記ディスクの回転速度を設定する、
ことを特徴とする請求項１に記載のディスク再生装置。
【請求項３】
前記ディスクは、ＤＶＤであり、
前記特定のコンテンツの種類は、ＤＶＤ−Ｖｉｄｅｏフォーマットのコンテンツであることを特徴とする請求項２に記載のディスク再生装置。
【請求項４】
前記ディスクは、ＤＶＤであり、
前記特定のコンテンツの種類は、ＤＶＤ−Ａｕｄｉｏフォーマットのコンテンツであることを特徴とする請求項２に記載のディスク再生装置。
【請求項５】
前記設定されるディスクの回転速度は、前記ディスクに記録された再生対象のデータを読み取る際の線速が一定になるように設定されることを特徴する請求項１乃至４のいずれか１項に記載のディスク再生装置。
【請求項６】
ディスクに記録された再生対象のデータを読み取り再生するディスク再生方法であって、
前記ディスクに記録されているデータのデータレートを示すデータレート情報を読み取る転送速度取得処理と、
前記再生対象のデータを読み取り再生する際の前記ディスクの回転速度を前記転送速度取得処理で読み取ったデータレート情報に基づいて設定する速度設定処理と、
前記ディスクを前記設定された回転速度で回転させるディスク回転処理と、
前記設定された回転速度で回転しているディスクから前記再生対象のデータを読み取り再生する再生処理と、
を含むことを特徴とするディスク再生方法。
【発明の詳細な説明】
【技術分野】
【０００１】
本発明は、ディスク再生装置及びディスク再生方法に関する。
【背景技術】
【０００２】
光ディスク装置は、ＤＶＤ（Digital Versatile Disc）等の光ディスクを回転させて、ピックアップによりディスクに記録されているデータを読み出す。
光ディスクが、コンピュータのソフトウエアを記録したＤＶＤ−ＲＯＭ（Digital Versatile Disk Read Only Memory）やＤＶＤ−ＲＡＭ（Digital Versatile Disc Random Access Memory）の場合、光ディスク装置は、読み取る時間を少なくしてコンピュータシステム全体の処理速度を上げるために光ディスクを高速に回転させ、データのスループットを向上させている。
【０００３】
これに対し、光ディスクがＤＶＤ−Ｖｉｄｅｏフォーマットであるときには、映像や音楽を長時間に亘り連続再生するため、ディスクを極端に高速回転させることは無用であり、光ディスクの回転数を下げて、不必要な消費電力の増大やディスク回転に伴う振動や騒音を抑えることが望ましい。
【０００４】
そのため、下記特許文献１では、光ディスクに記録されているコンテンツがＤＶＤ−Ｖｉｄｅｏフォーマット（以下、ＤＶＤ−Ｖｉｄｅｏという）のコンテンツであるか否かを判別し、ＤＶＤ−Ｖｉｄｅｏのコンテンツ以外のときには光ディスクを最高の回転数で回転させ、ＤＶＤ−Ｖｉｄｅｏのコンテンツのときには、光ディスクに規格で決められたチャネルビットレートが得られる回転数に設定している。
【先行技術文献】
【特許文献】
【０００５】
【特許文献１】特開２００１−３５７６０１号公報
【発明の概要】
【発明が解決しようとする課題】
【０００６】
ＤＶＤ−Ｖｉｄｅｏとしてディスクに記録されている映像や音楽のデータ形式は、ＤＶＤ規格で決められている。転送速度についても規格上で上限が決められており、ＤＶＤ−Ｖｉｄｅｏのデータレートは、規格上で定められた上限値以下であればよい。これに対し、前記特許文献１では、再生対象の対象の光ディスクがＤＶＤ−Ｖｉｄｅｏのディスクであるか否かを判別し、ＤＶＤ−Ｖｉｄｅｏのディスクの場合には、層数に応じて一義的に光ディスクの回転数を設定している。そのため、必ずしも、光ディスクに記録されたデータの再生に必要十分な回転数に落とせないこともあった。
【０００７】
この場合、次のような問題がある。
（１）光ディスク回転させるスピンドルモータの消費電流を十分下げることができない。
（２）騒音や振動の抑制も不十分である。
（３）スピンドルモータの信頼性が低下する。
（４）スピンドルモータの速度をアップダウンさせる処理時間が必要以上にかかる。
【０００８】
本発明は、以上のような現状を鑑みてなされた発明であり、ディスクをコンテンツに応じて必要十分な回転数で回転させることのできるディスク再生装置及びディス再生方法を提供することを目的とする。
【課題を解決するための手段】
【０００９】
上記目的を達成するために、本発明の第１の観点に係るディスク再生装置は、
ディスクに記録された再生対象のデータを読み取り再生するディスク再生装置であって、
前記ディスクに記録されているデータのデータレートを示すデータレート情報を読み取る転送速度取得手段と、
前記再生対象のデータを読み取り再生する際の前記ディスクの回転速度を前記転送速度取得手段で読み取ったデータレート情報に基づいて設定する速度設定手段と、
前記ディスクを前記設定された回転速度で回転させるディスク回転手段と、
前記設定された回転速度で回転しているディスクから前記再生対象のデータを読み取り再生する再生手段と、
を備えることを特徴とする。
【００１０】
尚、前記ディスクのコンテンツの種類を検出するコンテンツ検出手段と、
前記再生対象のデータを読み取り再生する際の前記ディスクの回転速度を当該装置に設定されている最高の回転速度に設定する第２の速度設定手段とを備え、
前記速度設定手段は、前記コンテンツ検出手段が検出したコンテンツの種類が特定のコンテンツの種類の場合に、前記ディスクの回転速度を設定し、
前記第２の速度設定手段は、前記コンテンツ検出手段が検出したコンテンツの種類が前記特定のコンテンツの種類以外の場合に、前記ディスクの回転速度を設定してもよい。
【００１１】
また、前記ディスクは、ＤＶＤであり、前記特定のコンテンツの種類は、ＤＶＤ−Ｖｉｄｅｏのコンテンツであってもよい。
【００１２】
また、前記ディスクは、ＤＶＤであり、前記特定のコンテンツの種類は、ＤＶＤ−Ａｕｄｉｏのコンテンツであってもよい。
【００１３】
また、前記設定されるディスクの回転速度は、前記ディスクに記録された再生対象のデータを読み取る際の線速が一定になるように設定されてもよい。
【００１４】
上記目的を達成するために、本発明の第２の観点に係るディスク再生方法は、
ディスクに記録された再生対象のデータを読み取り再生するディスク再生方法であって、
前記ディスクに記録されているデータのデータレートを示すデータレート情報を読み取る転送速度取得処理と、
前記再生対象のデータを読み取り再生する際の前記ディスクの回転速度を前記転送速度取得処理で読み取ったデータレート情報に基づいて設定する速度設定処理と、
前記ディスクを前記設定された回転速度で回転させるディスク回転処理と、
前記設定された回転速度で回転しているディスクから前記再生対象のデータを読み取り再生する再生処理と、
を含むことを特徴とする。
【発明の効果】
【００１５】
本発明によれば、光ディスクを必要十分な回転数で回転させることができる。これにより、消費電流の低減と、騒音や振動の抑制と、スピンドルモータの信頼性の向上と、スピンドルモータの速度をアップダウンさせる処理時間の低減とが可能になる。
【図面の簡単な説明】
【００１６】
【図１】本発明の実施形態に係る光ディスク再生装置の要部を示す構成図である。
【図２】図１の光ディスク再生装置の動作を説明するためのフローチャートである。
【発明を実施するための形態】
【００１７】
以下、図面に基づき、本発明の実施形態について詳細に説明する。
図１は、本発明の実施形態に係る光ディスク装置の要部を示す構成図である。
この光ディスク装置は、光ディスク１としてのＣＤ（Compact Disc）或はＤＶＤ（Digital Versatile Disc）に記録されたデータを再生する装置であり、光ディスク１を回転させるスピンドルモータ２と、光ピックアップ３と、光ピックアップ３を光ディスク１の半径方向に移動させる送りモータ４と、増幅回路５と、アナログデジタル変換回路（以下、ＡＤＣという）６と、フォーカスドライバ７と、スピンドルドライバ８と、制御部９とを備えている。
【００１８】
光ピックアップ３には、光源３ａ、対物レンズ（レンズ）３ｂ、光検出器（Ｏ／Ｅ）３ｃ、アクチュエータ３ｄ等が搭載されている。
光源３ａは、ＣＤ再生用レーザ及びＤＶＤ再生用レーザを選択的に放出する。  対物レンズ３ｂは、光源３ａが放出するレーザ光を光ディス１に集光する。
光検出器３ｃは、光ディスク１で反射したレーザ光を受光し、受光したレーザ光に対応する電気信号を出力する。アクチュエータ３ｄは、対物レンズ３ｂと光ディスク１の距離を調整する。
【００１９】
増幅回路５は、光検出器３ｃに接続され、光検出器３ｃが出力する電気信号を増幅する。増幅器５の出力側に、ＡＤＣ６が接続されている。ＡＤＣ６は、増幅器５の出力する信号をデジタル信号に変換して制御部９に与える。
【００２０】
フォーカスドライバ７は、制御部９からの指示に基づいてアクチュエータ３ｄに駆動信号を出力する。スピンドルドライバ８は、制御部９からの指示に基づいてスピンドルモータ２を駆動する。
【００２１】
制御部９は、装置全体の制御を行うと共に、デジタル信号処理を行うものであり、ＣＰＵ（Central Processing Unit）やＤＳＰ等で構成されている。
制御部９には、記憶部１０と、ユーザが指示を入力するための操作部１１と、表示を行う表示部１２と、デジタルの音響信号をアナログ信号に変換するデジタルアナログ変換回路（以下、ＤＡＣという）１３等が接続されている。ＤＡＣ１３の出力側に、スピーカ１４が接続されている。
【００２２】
記憶部１０は、制御部９のデジタル信号処理で用いられる記憶領域ゃ、バッファとして用いられる記憶領域や、データを保存するための記憶領域を制御部９に提供するものであり、ＲＡＭやＲＯＭやハードディスク等で構成することが可能である。
【００２３】
次に、図１の光ディスク再生装置の動作を説明する。
図２は、図１の光ディスク再生装置が再生を開始する動作を示すフローチャートである。
電源が投入された状態で光ディスク１が装着されると、光ディスク１の種類を判断する光ディスク種判定処理Ｓ１０を行う。
【００２４】
この光ディスク種判定処理Ｓ１０では、制御部９は光源３ａに指示を出し、ＣＤ用レーザ光を放射させると共に、スピンドルドライバ８を活性化させてスピンドルモータ２を駆動し、光ディスク１を所定の回転数で回転させる。また。制御部９は、フォーカスドライバ７を活性化させてアクチュエータ３ｄを駆動し、対物レンズ３ｂを上下させる。即ち、対物レンズ３ｂを光ディスク１に接近、後退させる。
【００２５】
光源３ａの放射したレーザー光は、対物レンズ３ｂを透過して光ディスク１で反射して光検出器３ｃに達する。光検出器３ｃは、光ディスク１からの反射光に相当する電気信号を出力し、増幅回路５がその電気信号を増幅する。ＡＤＣ６は、増幅回路５の出力信号をデジタルに変換して制御部９に与える。
【００２６】
対物レンズ３ｂが光ディスク１に接近或は後退する際に、対物レンズ３ｂの合焦点位置が光ディスク１の記録層の近傍を通過しているときには、光ディスク１で反射して光検出器３ｃに到達する光が大きく増減する。制御部９は、ＡＤＣ６から入力された信号から、光検出器３ｃに到達した光の極大点と極小点の差を求め、その差が所定の値以上であるか否かを判断する。差が所定値以上であれば光ディスク１がＣＤであると判断する。
【００２７】
光検出器３ｃに到達した光の極大点と極小点の差が所定値に満たない場合、制御部９は、光源３ａに指示を出し、ＣＤ用レーザの放射を停止してＤＶＤ用レーザの放射を開始させる。又、制御部９は、フォーカスドライバ７を活性化してアクチュエータ３ｄを駆動し、対物レンズ３ｂを上下させる。
【００２８】
対物レンズ３ｂを上下させることにより、光ディスク１で反射して光検出器３ｃに到達する光が大きく増減する。制御部９は、ＡＤＣ６から入力された信号から、光検出器３ｃに到達した光の極大点と極小点の差分を求め、その差分が所定の範囲に入る回数と差分のレベルとに基づいて光ディスク１がＣＤであるかＤＶＤであるかを判断する。
【００２９】
光ディスク１がＣＤであると判断した場合（Ｓ１０：ＣＤ）、制御部９は、光源３ａに指示を出し、ＣＤ用レーザ光を放射させると共に、スピンドルドライバ８を活性化させてスピンドルモータ２を駆動し、光ディスク１をＣＤ用の回転数で回転させ、光ディスク１に記録されたデータを再生する（Ｓ２０）。
【００３０】
光ディスク１がＤＶＤであると判断した場合（Ｓ１０：ＤＶＤ）、制御部９は光ディスク１がＤＶＤ−Ｖｉｄｅｏか否かを判低断するコンテンツ判定処理Ｓ３０を行う。
【００３１】
このコンテンツ判定処理Ｓ３０では、制御部９は光源３ａに指示を出し、ＤＶＤ用レーザ光を放射させると共に、スピンドルドライバ８を活性化させてスピンドルモータ２を駆動し、光ディスク１をイニシャルリードの回転数で回転させる。又、制御部９は、フォーカスドライバ７を活性化させてアクチュエータ３ｄを駆動し、対物レンズ３ｂの焦点が光ディスク１の記録層に合うように調整する。この状態で、制御部９は送りモータ４に制御信号を送って光ピックアップ３を光ディスク１の半径方向に移動させ、ＤＶＤ用レーザが対物レンズ３ｂを介して光ディスク１のリードイン領域に集光するように制御する。
【００３２】
光ディスク１のリードイン領域で反射した光は、光検出器３ｃに達し、光検出器３ｃは光ディスク１からの反射光に相当する電気信号を出力し、増幅回路５がその電気信号を増幅する。ＡＤＣ６は、増幅回路５の出力信号をデジタルに変換して制御部９に与える。以上により、制御部９は、イニシャルリードを行い、光ディスク１のリードイン領域の情報を読み取ることができる。
【００３３】
ＤＶＤ−Ｖｉｄｅｏの場合、リードイン領域に、コピーライトプロテクションシステムタイプ（Copyright Protection System Type）というコードが定義されている。このコピーライトプロテクションシステムタイプは、ディスクに記録されているコンテンツのコピー防止システムの種類を示しており、ディスクに記録されているコンテンツにはコンテンツスクランブルシステム（Content Scramble System）に則ったコピー防止システムが適用されていることを示す。
【００３４】
このコピー防止システムとは、画像データのコピーを防止するためのもので、ＤＶＤ−Ｖｉｄｅｏのコンテンツで一番多く存在する映画は、そのほとんどはこのコンテンツスクランブルシステムに則ったコピー防止システムを使って記録されている。
【００３５】
逆にいうと、コピーライトプロテクションシステムタイプとしてコンテンツスクランブルシステムが記録されているディスクは必ずＤＶＤ−Ｖｉｄｅｏのコンテンツが記録されている、ということができる。
【００３６】
また、ＤＶＤのリードイン領域には、そのディスクのデータレートを示すデータレート情報が次のように８ビットで記録されている。
データレート情報が「００ｘｘ００００」（ｘは０又は１を示す）の場合は、光ディスク１のデータレートが０Ｍｂｐｓより高く２．５２Ｍｂｐｓ以下の範囲にあることを示し、最大データレートが２．５２Ｍｂｐｓであることを示している。
【００３７】
データレート情報が「００ｘｘ０００１」の場合は、光ディスク１のデータレートが２．５２Ｍｂｐｓより高く５．０４Ｍｂｐｓ以下の範囲にあることを示し、最大データレートが５．０４Ｍｂｐｓであることを示している。データレート情報が「００ｘｘ００１０」の場合は、光ディスク１のデータレートが５．０４Ｍｂｐｓより高いことを示している。データレート情報が「１１１１１１１１」の場合は、ディスクのデータレートが未指定であることを示している。
【００３８】
制御部９は、イニシャルリードにより、コピーライトプロテクションシステムタイプを検出すると共にデータレート情報を検出する。コピーライトプロテクションシステムタイプとしてコンテンツスクランブルシステムを検出した場合に、制御部９は、光ディスク１がＤＶＤ−Ｖｉｄｅｏであると判断する。コンテンツスクランブルシステムを検出しなかった場合、制御部９は、光ディスク１がＤＶＤ−Ｖｉｄｅｏ以外のＤＶＤであると判断する。
【００３９】
制御部９は、光ディスク１がＤＶＤ−Ｖｉｄｅｏ以外のＤＶＤであると判断した場合（Ｓ３０：ＤＶＤ−Ｖｉｄｅｏではない）、光ディスク再生装置の仕様で定められて選択可能な複数の一定線速のうちの最高の線速で読み取りができるように、スピンドルドライバ８に指示を出し、スピンドルモータ２の回転数を制御し（Ｓ４０）、後述する光ディスク１に記録されたデータの再生を行う（Ｓ５０）。光ディスク装置に設定された一定の線速の最高の線速が等倍速の４倍であれば、等倍速の４倍（ＣＬＶ４×）の線速となるようにスピンドルモータ２を回転させながら、再生を行う。
【００４０】
制御部９は、光ディスク１がＤＶＤ−Ｖｉｄｅｏであると判断した場合（Ｓ３０：ＤＶＤ−Ｖｉｄｅｏである）、イニシャルリードで読み出したデータレート情報を参照して光ディスク１の最大データレートを求め、再生時の線速を設定する（Ｓ６０）。即ち、制御部９は、光ディスク再生装置の仕様で定められて選択可能な複数の一定線速のうちから、光ディスク１の最大データレートよりも高く、且つその最大データレートに最も近い線速を選定し、選定した線速で読み取りができるように、スピンドルドライバ８に指示を出してスピンドルモータ２の回転数を制御し、光ディスク１に記録されたデータの再生を行う（Ｓ５０）。
【００４１】
例えば、光ディスク装置の仕様で定められて選択可能な線速が、等倍速の０．２５倍、０．５倍、１．５倍がある場合、イニシャルリードで光ディスク１から読み出したデータレート情報が「００ｘｘ０００１」とすると、最大データレートが５．０４Ｍｂｐｓであるので、等倍速の０．５倍（ＣＬＶ０．５×）を選定する。
【００４２】
同様に、データレート情報が「００ｘｘ００００」のときには、等倍速の０．２５倍（ＣＬＶ０．２５×）を選択し、データレート情報が「００ｘｘ００１０」のときには、等倍速の１．５倍（ＣＬＶ１．５×）を選定する。
【００４３】
データの再生を開始すると、光ディスク１で反射された光が光検出器３ｃによってデータに対応する電気信号に変換され、増幅回路５によって増幅され、ＡＤＣ６によってデジタルデータに変換されて制御部９に入力される。
【００４４】
制御部９は、入力されたデジタルデータに対し、記憶部１０を利用して所定の信号処理を施し、信号処理後のデータを記憶部１０に記憶する。信号処理後のデータが音響を示す場合には、制御部９は、記憶部１０に記憶されている信号処理後のデータを順に読み出してＤＡＣ１３に与える。ＤＡＣ１３は信号処理後のデータをアナログ信号に変換してスピーカ１４に与え、スピーカ１４が鳴動する。信号処理後のデータが画像或はテキストの場合、制御部９は、記憶部１０に記憶されている信号処理後のデータを読み出し、表示部１２に与え、表示部１２が画像或はテキストを表示する。
【００４５】
以上のように、本実施形態の光ディスク再生装置は、ＤＶＤ−Ｖｉｄｅｏに対してリードイン領域に記録されているデータレート情報を読み取り、データレート情報から、光ディスク１に記録されているデータのデータレートの最大値を求め、そのデータレートの最大値よりも高く、データレートに最も近い線速が出せるように光ディスク１の回転数を設定する。そのため、光ディスク１の回転数が必要以上に高くなることを抑制でき、消費電流の低減と、騒音や振動の抑制と、スピンドルモータの信頼性の向上と、スピンドルモータの速度をアップダウンさせる処理時間の低減とが可能になる。
【００４６】
尚、本発明は、上記実施形態に限定されず、種々の変形が可能である。
（１）光ディスク１がＤＶＤ−Ｖｉｄｅｏであることを、コンテンツスクランブルシステムが記録されているか否かで判断したが、これに限らず、フォルダー構成から判断してもよい。即ち、ＤＶＤディスクのルートディレクトリ下にＶＩＤＥＯ＿ＴＳというファイルがあり、更にその下にＶＩＤＥＯ＿ＴＳ．ＩＦＯという名前のファイルが記録されていることを検出することによって、光ディスク１がＤＶＤ−Ｖｉｄｅｏであると判断してもよい。
【００４７】
（２）ＤＶＤ−Ｖｉｄｅｏ以外でも、ＤＶＤ−Ａｕｄｉｏフォーマットについても同様にして光ディスクの回転を抑制してもよい。
【００４８】
（３）ＤＶＤ以外の媒体でもディスクからデータレート情報が取得できる場合には、そのデータレート情報に基づいてディスクの回転数を設定することにより、上記実施形態と同様の効果を期待できる。
【符号の説明】
【００４９】
１      光ディスク
２      スピンドルモータ
３      光ピックアップ
３ａ    光源
３ｂ    対物レンズ
３ｃ    光検出器
３ｄ    アクチュエータ
４      送りモータ
５      増幅回路
６      ＡＤＣ
７      フォーカスドライバ
８      スピンドルドライバ
９      制御部
１０    記憶部
１１    操作部
１２    表示部
１３    ＤＡＣ
１４    スピーカ
【図１】
2011081851.tif 000003
【図２】
2011081851.tif 000004